【事件の表示】
　特許第３００５１４２号「インクジェットプリント方法、及び、プリント物」の請求項１ないし２０に係る特許に対する特許異議の申立てについて、次のとおり決定する。
【結　論】
　訂正を認める。
　特許第３００５１４２号の請求項１ないし１６に係る特許を維持する。
【理　由】
Ｉ．手続の経緯
　本件特許第３００５１４２号は、平成５年７月９日に出願され、平成１１年１１月１９日にその特許の設定登録がなされ、その後、名越千栄子より特許異議の申立があり、取消理由通知がなされ、その指定期間内である平成１３年８月２８日付で訂正請求がなされたものである。
　
II．訂正の適否
１．訂正事項
〔訂正事項ａ〕
　特許請求の範囲の、
「【請求項１】 少なくともレッド、及びブルーの２色のインクを、インクジェット方式によって、布帛上に付与してプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種を含有し、前記ブルーインクは色素としてＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種を含有し、前記少なくとも２色のインクの混色部における色素の付着量が、０．０１ｍｇ〜１ｍｇ／ｃｍ２　の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せを用いる場合を除く）。」との記載を、
「【請求項１】少なくともレッド、及びブルーの２色のインクを、インクジェット方式によって、布帛上に付与してマンセル色標系でパープルまたはパープルブルーに含まれる色相のプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有し、前記少なくとも２色のインクの混色部における色素の付着量が、０．０１ｍｇ〜１ｍｇ／ｃｍ２　の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ、およびＣ．Ｉ．ディスパーズレッド２８３を含有するレッドインクとＣ．Ｉ．ディスパーズブルー７３を含有するブルーインクとの組合せを用いる場合を除く）。」と訂正する。
　
〔訂正事項ｂ〕
　特許請求の範囲の【請求項８】及び【請求項９】を削除する。
　
〔訂正事項ｃ〕
　特許請求の範囲の「【請求項１０】」を「【請求項８】」と訂正する。
　
〔訂正事項ｄ〕
　特許請求の範囲の「【請求項１１】」を「【請求項９】」と訂正するとともに、「請求項１０」を「請求項８」と訂正する。
　
〔訂正事項ｅ〕
　特許請求の範囲の「【請求項１２】」を「【請求項１０】」と訂正するとともに、「請求項１１」を「請求項９」と訂正する。
　
〔訂正事項ｆ〕
「【請求項１３】レッド、ブルーの２色の色素が少なくとも一部重複した状態で、分散染料で染色可能な繊維を含有する布帛を染色しているプリント物であって、前記レッド色素がＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種であり、前記ブルー色素がＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種であり、且つ少なくとも２色の色素の混色部における量が０．０１ｍｇ〜１ｍｇ／ｃｍ２　の範囲にあることを特徴とするプリント物（但し、前記２色の色素がＣ．Ｉ．ディスパーズレッド２８３及びＣ．Ｉ．ディスパーズブルー２２４の組合せである場合を除く）。」を、
「【請求項１１】レッド、ブルーの２色の色素が少なくとも一部重複した状態で、分散染料で染色可能な繊維を含有する布帛を、マンセル色標系でパープルまたはパープルブルーに含まれる色相に染色しているプリント物であって、前記レッド色素がＣ．Ｉ．ディスパーズレッド９２、１２６、１３５、１４５、１５２、１５９、１７７、１８１、２０６、２８３及び３４８よりなる群の中から選ばれる少なくとも一種であり、前記ブルー色素がＣ．Ｉ．ディスパーズブルー５６、７３、１２８、１５４、１６５、２０１、２１４、２２４、２５７、２６６、２６７、２８７及び３６８よりなる群の中から選ばれる少なくとも一種であり、且つ少なくとも２色の色素の混色部における量が０．０１ｍｇ〜１ｍｇ／ｃｍ２　の範囲にあることを特徴とするプリント物（但し、前記２色の色素がＣ．Ｉ．ディスパーズレッド２８３及びＣ．Ｉ．ディスパーズブルー２２４の組合せと、Ｃ．Ｉ．ディスパーズレッド２８３及びＣ．Ｉ．ディスパーズブルー７３の組合せである場合を除く）。」と訂正する。
　
〔訂正事項ｇ〕
　特許請求の範囲の「【請求項１４】」を「【請求項１２】」と訂正するとともに、「請求項１３」を「請求項１１」と訂正する。
　
〔訂正事項ｈ〕
　特許請求の範囲の【請求項１５】及び【請求項１６】を削除する。
　
〔訂正事項ｉ〕
　特許請求の範囲の「【請求項１７】」を「【請求項１３】」と訂正するとともに、「請求項１３」を「請求項１１」と訂正する。
　
〔訂正事項ｊ〕
　特許請求の範囲の「【請求項１８】」を「【請求項１４】」と訂正するとともに、「請求項１７」を「請求項１３」と訂正する。
　
〔訂正事項ｋ〕
　特許請求の範囲の「【請求項１９】」を「【請求項１５】」と訂正するとともに、「請求項１２又は１３」を「請求項１０又は１１」と訂正する。
　
〔訂正事項ｌ〕
　特許請求の範囲の「【請求項２０】」を「【請求項１６】」と訂正するとともに、「請求項１０」を「請求項１５」と訂正する。
　
〔訂正事項ｍ〕
  明細書段落【００１４】の、
「【００１４】即ち、本発明のインクジェットプリント方法は、少なくともレッド、及びブルーの２色のインクを、インクジェット方式によって、布帛上に付与してプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種を含有し、前記ブルーインクは色素としてＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種を含有し、前記少なくとも２色のインクの混色部における色素の付着量が、０．０１ｍｇ〜１ｍｇ／ｃｍ２　の範囲にあることを特徴とするものである（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せを用いる場合を除く）。また本発明のプリント物は、レッド、ブルーの２色の色素が少なくとも一部重複した状態で、分散染料で染色可能な繊維を含有する布帛を染色しているプリント物であって、前記レッド色素がＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種であり、前記ブルー色素がＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種であり、且つ少なくとも２色の色素の混色部における量が０．０１ｍｇ〜１ｍｇ／ｃｍ２　の範囲にあることを特徴とするものである（但し、前記２色の色素がＣ．Ｉ．ディスパーズレッド２８３及びＣ．Ｉ．ディスパーズブルー２２４の組合せである場合を除く）。」との記載を、
「【００１４】即ち、本発明のインクジェットプリント方法は、少なくともレッド、及びブルーの２色のインクを、インクジェット方式によって、布帛上に付与してマンセル色標系でパープルまたはパープルブルーに含まれる色相のプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有し、前記少なくとも２色のインクの混色部における色素の付着量が、０．０１ｍｇ〜１ｍｇ／ｃｍ２　の範囲にあることを特徴とするものである（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ、およびＣ．Ｉ．ディスパーズレッド２８３を含有するレッドインクとＣ．Ｉ．ディスパーズブルー７３を含有するブルーインクとの組合せを用いる場合を除く）。また本発明のプリント物は、レッド、ブルーの２色の色素が少なくとも一部重複した状態で、分散染料で染色可能な繊維を含有する布帛を、マンセル色標系でパープルまたはパープルブルーに含まれる色相に染色しているプリント物であって、前記レッド色素がＣ．Ｉ．ディスパーズレッド９２、１２６、１３５、１４５、１５２、１５９、１７７、１８１、２０６、２８３及び３４８よりなる群の中から選ばれる少なくとも一種であり、前記ブルー色素がＣ．Ｉ．ディスパーズブルー５６、７３、１２８、１５４、１６５、２０１、２１４、２２４、２５７、２６６、２６７、２８７及び３６８よりなる群の中から選ばれる少なくとも一種であり、且つ少なくとも２色の色素の混色部における量が０．０１ｍｇ〜１ｍｇ／ｃｍ２　の範囲にあることを特徴とするものである（但し、前記２色の色素がＣ．Ｉ．ディスパーズレッド２８３及びＣ．Ｉ．ディスパーズブルー２２４の組合せと、Ｃ．Ｉ．ディスパーズレッド２８３及びＣ．Ｉ．ディスパーズブルー７３の組合せである場合を除く）。」と訂正する。
　
２．訂正の目的の適否、新規事項追加の有無、及び特許請求の範囲の実質上の拡張又は変更の存否
　訂正事項ａは、訂正前の特許請求の範囲請求項１において、インクジェットプリント方法をマンセル色標系でパープルまたはパープルブルーに含まれる色相にプリントを行う方法に特定するとともに、用いられるレッドインク及びブルーインクに含まれる色素をさらに限定し、かつ先願明細書に記載されたレッドインクとブルーインクの組合せをすべて除外しようとするもので、特許請求の範囲の減縮を目的とするものである。またこの訂正は、訂正前の特許請求の範囲【請求項８】及び【請求項９】、及び、願書に添付された明細書段落【００１２】【００２９】【００８８】【表１】【００８９】の記載により支持されているから、特許明細書に記載された事項の範囲内のものであり、実質上特許請求の範囲を拡張し又は変更するものでもない。
　訂正事項ｆは、訂正前の特許請求の範囲請求項１３において、プリント物をマンセル色標系でパープルまたはパープルブルーに含まれる色相に染色されたプリント物に特定するとともに、用いられるレッドインク及びブルーインクに含まれる色素をさらに限定し、かつ先願明細書に記載されたレッドインクとブルーインクの組合せをすべて除外した上で、請求項番号を繰り上げて請求項１１とするもので、特許請求の範囲の減縮並びに明りょうでない記載の釈明を目的とするものである。またこの訂正は、訂正前の特許請求の範囲【請求項１５】及び【請求項１６】、及び、願書に添付された明細書段落【００１２】【００２９】【００８８】【表１】【００８９】の記載により支持されているから、特許明細書に記載された事項の範囲内のものであり、実質上特許請求の範囲を拡張し又は変更するものでもない。
　訂正事項ｂ及びｈは、特許請求の範囲の訂正により重複することとなった請求項を削除するもので、明りょうでない記載の釈明を目的とするものである。
　訂正事項ｃ〜ｅ、ｇ、ｉ〜ｌは、請求項の削除に伴う請求項番号の繰り上げ及び引用部分の請求項番号の訂正に係るもので、明りょうでない記載の釈明を目的とするものである。
　訂正事項ｍは、特許請求の範囲の訂正によって生じた明細書の記載中の不整合部分を、特許請求の範囲の記載に合わせて訂正するものであり、明りょうでない記載の釈明を目的とするものである。
　また上記ｂ〜ｅ、ｇ〜ｍの訂正は、特許明細書に記載された事項の範囲内のものであり、実質上特許請求の範囲を拡張し又は変更するものでもない。
　
３．訂正の適否の結論
　以上のとおりであるから、本件訂正請求は、特許法等の一部を改正する法律（平成６年法律１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
III．特許異議申立について
１．本件発明
　本件請求項１ないし請求項１６に係る発明は、訂正後の特許請求の範囲の請求項１ないし請求項１６に記載された以下のとおりである。
「【請求項１】少なくともレッド、及びブルーの２色のインクを、インクジェット方式によって、布帛上に付与してマンセル色標系でパープルまたはパープルブルーに含まれる色相のプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有し、前記少なくとも２色のインクの混色部における色素の付着量が、０．０１ｍｇ〜１ｍｇ／ｃｍ２　の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ、およびＣ．Ｉ．ディスパーズレッド２８３を含有するレッドインクとＣ．Ｉ．ディスパーズブルー７３を含有するブルーインクとの組合せを用いる場合を除く）。
【請求項２】前記布帛がポリエステル繊維を含むものである請求項１に記載のインクジェットプリント方法。
【請求項３】前記熱処理が、高湿蒸熱（ＨＴスチーミング）法またはサーモゾル法である請求項１に記載のインクジェットプリント方法。
【請求項４】前記インクジェット方式が熱エネルギーを利用してインクを吐出させるインクジェット方式である請求項１に記載のインクジェットプリント方法。
【請求項５】前記インクの吐出速度が５〜２０ｍ ／ｓｅｃである請求項１又は４に記載のインクジェットプリント方法。
【請求項６】前記（ａ）工程の前に前記布帛を前処理する請求項１に記載のインクジェットプリント方法。
【請求項７】前処理として、尿素、水溶性高分子、水溶性金属塩の少なくとも１種を布帛に含有させる請求項１に記載のインクジェットプリント方法。
【請求項８】混色部における色素の付着量が０．０１５〜０．６ｍｇ／ｃｍ２　の範囲にある請求項１に記載のインクジェットプリント方法。
【請求項９】混色部における色素の付着量が０．０２〜０．４ｍｇ／ｃｍ２　の範囲にある請求項８に記載のインクジェットプリント方法。
【請求項１０】請求項１乃至９のいずれかに記載のインクジェットプリント方法によりプリントされたプリント物。
【請求項１１】レッド、ブルーの２色の色素が少なくとも一部重複した状態で、分散染料で染色可能な繊維を含有する布帛を、マンセル色標系でパープルまたはパープルブルーに含まれる色相に染色しているプリント物であって、前記レッド色素がＣ．Ｉ．ディスパーズレッド９２、１２６、１３５、１４５、１５２、１５９、１７７、１８１、２０６、２８３及び３４８よりなる群の中から選ばれる少なくとも一種であり、前記ブルー色素がＣ．Ｉ．ディスパーズブルー５６、７３、１２８、１５４、１６５、２０１、２１４、２２４、２５７、２６６、２６７、２８７及び３６８よりなる群の中から選ばれる少なくとも一種であり、且つ少なくとも２色の色素の混色部における量が０．０１ｍｇ〜１ｍｇ／ｃｍ２　の範囲にあることを特徴とするプリント物（但し、前記２色の色素がＣ．Ｉ．ディスパーズレッド２８３及びＣ．Ｉ．ディスパーズブルー２２４の組合せと、Ｃ．Ｉ．ディスパーズレッド２８３及びＣ．Ｉ．ディスパーズブルー７３の組合せである場合を除く）。
【請求項１２】前記プリント物がポリエステル繊維を含む布帛にプリントされたものである請求項１１に記載のプリント物。
【請求項１３】混色部における色素の量が０．０１５〜０．６ｍｇ／ｃｍ２　の範囲にある請求項１１に記載のプリント物。
【請求項１４】混色部における色素の量が０．０２〜０．４ｍｇ／ｃｍ２　の範囲にある請求項１３に記載のプリント物。
【請求項１５】請求項１０又は１１に記載のプリント物を更に加工して得られた加工品。
【請求項１６】前記加工品が前記プリント物を所望の大きさに切り離し、切り離された片に対して最終的な加工品を得るための工程を施して得られたものである請求項１５に記載の加工品。」
　
２．申立ての理由の概要
　特許異議申立人　名越千栄子は、証拠として甲第１号証（特開昭６１−１３８７８４号公報、以下、「刊行物１」という）、甲第２号証（特開昭６１−１３８７８５号公報、以下、「刊行物２」という）、甲第３号証（特開昭６２−５３４９３号公報、以下、「刊行物３」という）、甲第４号証（特開昭６２−２４３８９０号公報、以下、「刊行物４」という）、甲第５号証（特開平１−１５６０６８号公報、以下、「刊行物５」という）、甲第６号証（特開平２−６８３７２号公報、以下、「刊行物６」という）、甲第７号証（特願平４−１２０９３号（特開平５−２０９３７８号公報参照）、以下、「先願１」という）及び甲第８号証（特願平４−２２２１６７号（特開平６−５７６５２号公報参照）、以下、「先願２」という）を提出し、訂正前の本件請求項１ないし２０に係る発明は、本件出願前に頒布されたことが明らかな刊行物である上記刊行物１ないし６に記載された発明である（理由１）か、上記刊行物１ないし６に記載された発明に基づいて当業者が容易に発明し得たものである（理由２）から、特許法第２９条第１項第３号あるいは同法同条第２項の規定により特許を受けることができないものであり、また、訂正前の本件請求項１ないし２０に係る発明は、上記先願１に係る発明と実質的に同一である（理由３）から、特許法第３９条第１項の規定により特許を受けることができないものであり、さらに、訂正前の本件請求項１ないし２０に係る発明は、上記先願２の明細書に記載された発明と同一であるから（理由４）、特許法第２９条の２の規定により特許を受けることができないものであり、これらの特許は取り消されるべきものであると主張している。
　なお、当審において通知した取消の理由の趣旨は、訂正前の本件請求項１ないし２０に係る特許は、その発明が、上記刊行物１ないし６に記載された発明に基づいて当業者が容易に発明し得たものであるから、特許法第２９条第２項の規定に違反してされたものであり、また、訂正前の本件請求項１ないし２０に係る特許は、その発明が、上記先願２の明細書に記載された発明と同一であるから、特許法第２９条の２の規定に違反してされたものである、というもので、上記（理由２）及び（理由４）と同じである。
                                           
３．刊行物等の記載
　刊行物１には、下記の記載がある。
　１−イ：「（１）インクジェット方式によって分散染料を含む記録液を合成繊維および／または半合成繊維からなる布帛類に付与し、次いで染着処理する捺染方法において、上記布帛類または該布帛類を構成する繊維に上記記録液を受容する受容層が形成されていることを特徴とする捺染方法。」（特許請求の範囲）
　１−ロ：上記布帛類について、「本発明において使用し、主として本発明を特徴づける布帛類とは、ポリエステル、ビニロン、ポリプロピレン、アクリル、ナイロン等の合成繊維、アセテート、トリアセテート等の半合成繊維の如く、分散染料によって染色され得る繊維からなる布帛類、・・・」（公報第２頁右上欄第１２行〜第１７行）
　１−ハ：上記分散染料について、「本発明方法において使用するインクジェット方式用インクの分散染料としては、従来公知のものはいずれも使用できるが、特に好ましいものは・・・；Ｃ．Ｉ．ディスパーズレッド・・・、９２、・・・、１２６、・・・、１３５、・・・、１４５、１５２、・・・、１８１、・・・２０６、・・・；Ｃ．Ｉ．ディスパーズブルー・・・、７３、・・・、１２８、・・・、２０１、・・・、２１４、２２４、・・・、２５７、・・・２６７、・・・；・・・等である。」（公報第３頁右上欄第１３〜左下欄第１９行）
　１−ニ：上記染着処理について、「以上の如くして本発明方法によって布帛上にインク組成物を画像信号通りには付着させることができ、この状態のインク組成物中の染料は、単に織布等の表面のインク受容層に吸収しているに、過ぎないので、引続き加熱処理等の染着処理を行うのが好ましい。このような染着処理は、・・・過熱スチームによるスチーミング処理、温水や熱水による加熱処理、乾式の加熱処理、界面活性剤水溶液によるソーピング処理等から適当に選択する。」（公報第５頁左下欄第１８行〜右下欄第８行）
　
　刊行物２には、下記の記載がある。
　２−イ：「（１）インクジェット方式によって分散染料を含む記録液を合成繊維および／または半合成繊維からなる布帛類に付与し、次いで染着処理する捺染方法において、上記布帛類に上記記録液を受容する受容層が形成され、その厚みが０．５〜３０μｍの範囲に調整されていることを特徴とする捺染方法。」（特許請求の範囲）
　２−ロ：上記布帛類について、「本発明において使用し、主として本発明を特徴づける布帛類とは、ポリエステル、ビニロン、ポリプロピレン、アクリル、ナイロン等の合成繊維、アセテート、トリアセテート等の半合成繊維の如く、分散染料によって染色され得る繊維からなる布帛類、・・・」（公報第２頁右上欄第１５行〜第２０行）
　２−ハ：上記分散染料について、「本発明方法において使用するインクジェット方式用インクの分散染料としては、従来公知のものはいずれも使用できるが、特に好ましいものは・・・；Ｃ．Ｉ．ディスパーズレッド・・・、９２、・・・、１２６、・・・、１３５、・・・、１４５、１５２、・・・、１８１、・・・２０６、・・・；Ｃ．Ｉ．ディスパーズブルー・・・、７３、・・・、１２８、・・・、２０１、・・・、２１４、２２４、・・・、２５７、・・・２６７、・・・；・・・等である。」（公報第３頁左下欄第１行〜右下欄第７行）
　２−ニ：上記染着処理について、「以上の如くして本発明方法によって布帛上にインク組成物を画像信号通りには付着させることができ、この状態のインク組成物中の染料は、単に織布等の表面のインク受容層に吸収しているに、過ぎないので、引続き加熱処理等の染着処理を行うのが好ましい。このような染着処理は、・・・過熱スチームによるスチーミング処理、温水や熱水による加熱処理、乾式の加熱処理、界面活性剤水溶液によるソーピング処理等から適当に選択する。」（公報第５頁右下欄第５行〜第１５行）
　
　刊行物３には、下記の記載がある。
　３−イ：「（１）インクジェット方式によって分散染料を含む記録液を合成繊維からなる布帛類に付与し、次いで染着処理する捺染方法において、上記布帛類に、２５℃における粘度が１，０００ｃｐ以上の記録液受容層が形成されていることを特徴とする捺染方法。」（特許請求の範囲）
　３−ロ：上記布帛類について、「本発明において使用し、主として本発明を特徴づける布帛類とは、ポリエステル、ビニロン、ポリプロピレン、アセテートレーヨン、アクリル、ナイロン等の合成繊維の如く、分散染料によって染色され得る繊維からなる布帛類、・・・」（公報第２頁右上欄第１２行〜第１６行）
　３−ハ：上記分散染料について、「本発明方法において使用するインクジェット方式用インクの分散染料としては、従来公知のものはいずれも使用できるが、特に好ましいものは・・・；Ｃ．Ｉ．ディスパーズレッド・・・、９２、・・・、１２６、・・・、１３５、・・・、１４５、１５２、・・・、１５９、・・・、１７７、・・・、１８１、・・・２０６、・・・；Ｃ．Ｉ．ディスパーズブルー・・・、５６、・・・、７３、・・・、１２８、・・・、１５４、・・・、１６５、・・・、２０１、・・・、２１４、２２４、・・・、２５７、・・・２６７、・・・、２８７、・・・；・・・等があげられる。」（公報第３頁右下欄第３行〜第４頁左下欄第１１行）
　３−ニ：上記染着処理について、「以上の如くして本発明方法によって布帛上にインク組成物を画像信号通りには付着させることができ、この状態のインク組成物中の染料は、単に織布等の表面のインク受容層に吸収しているに、過ぎないので、引続き加熱処理等の染着処理を行うのが好ましい。このような染着処理は、・・・過熱スチームによるスチーミング処理、温水や熱水による加熱処理、乾式の加熱処理、界面活性剤水溶液によるソーピング処理等から適当に選択する。」（公報第６頁右上欄第１４行〜左下欄第４行）
　
　刊行物４には、下記の記載がある。
　４−イ：「繊維構造物をインクジェット法により染色または捺染するに際し、（Ａ）少なくとも３色のマスターインクおよび染料を含有しない希釈インクからなる群より２種以上の混合により所望色インクを得ると共に、（Ｂ）実質的に同一の粘度およびにじみ防止能を有するマスターインクおよび希釈インクを用い、且つ（Ｃ）各所望色インクの面積当りの付与量を実質的に同じとすることを特徴とするインクジェット染色方法。」（特許請求の範囲第１項）
　４−ロ：マスターインクの染料濃度について、「マスターインクの染料濃度は濃色を表現するに十分な量が必要であり染料によっても異なるが、染料原体として通常２〜１５％のものが用いられる。」（公報第３頁右下欄第４行〜第６行）
  ４−ハ：インクの付与量について、「本発明においては付与量については特に限定されるものではないが、繊維構造物表面上で未付与の白場部分が実質的に存在せず全面付与される量であることが望ましい。繊維素材、繊維構造物の目付によっても異なるが、通常インク付与量Ｘｇ／ｍ２　は
　０．０５×Ａ≦Ｘ≦０．５×Ａ
（ここでＡは繊維構造物の目付ｇ／ｍ２　を表わす）の範囲が好ましい。」（公報第４頁左下欄第１０行〜右下欄第２行）
　４−ニ：実施例として、「ポリエステル繊維用に表１に示した分散染料のマスターインクを作製した。・・・・・染色布として・・・ポリエステルパレス織物（目付９５ｇ／ｍ２　）を用いた。」（公報第５頁右上欄第１２行〜左下欄第４行）
　
　刊行物５には、下記の記載がある。
　５−イ：ドット式カラープリンタにおける色再現方法について、「インクジェット式、熱転写式、レーザービーム式などのドット式カラープリンタにおいては第５図に示す減法混色を用いて色再現を行う方法が広く採用されている。この減法混色は、プリントの際、例えば目的の色表示がＲ（レッド）である場合、Ｙ（イエロー）インクとＭ（マゼンタ）インクを混ぜ合わせ、Ｒ（レッド）の色再現を行う。同様にＧ（グリーン）はＹ（イエロー）インクとＣ（シアン）インクの混ぜ合わせにより、また、Ｂ（ブルー）はＭ（マゼンタ）インクとＣ（シアン）インクの混ぜ合わせにより色再現される。」（公報第１頁左下欄第１８行〜右下欄第８行）
　５−ロ：画像情報のプリントについて、「例えば第３図に示すフルカラーの山の風景画の斜線部に適用する場合を考える。この風景画の状況は夜であるため斜線部はＢｋ（ブラック）となる。このとき、斜線部以外はＲ，Ｂ，Ｇ等の色が使われ、１ドットに２色のインクをプリントしているため色も濃くなる。」（公報第２頁左下欄第１８行〜右下欄第４行、第３図）
　
　刊行物６には、下記の記載がある。
　６−イ：インクジェット印刷について、「インクジェット印刷における最小の印刷単位は１個の小さな粒子である事を説明した。これらのインクは最低でも４色（この場合イエロー、レッド、ブルー、ブラック、）のインクツボに納められ各々がノズルを介して打点される。例えばグリーンを表現する場合にはイエローインクとブルーインクが、１対２の割合にカウントされ打点される。この打点は両者が重なって打点される場合と分離して打点される場合がある。特に後者の場合打点された粒の布はく上での面積が大きくそして分離していると混合色としてみえなくなる。この打点法は人間の眼の視覚現象を応用しているものであり、この様な混色は併置加法混色と言われている。」（公報第３頁左下欄第９行〜右下欄第２行） 
　
　先願１には、下記の記載がある。
　７−イ：「（ａ）少なくともイエローと、ブラックと、及びレッド、グリーン、ブルーの中から選ばれる１種の合計３種の捺染インク小滴を布帛に順次着滴させて、少なくとも２色以上のインクによる混色部を布帛に形成する工程、（ｂ）前記混色部を形成した布帛を熱処理することにより染料を布帛に染着させる工程、（ｃ）染着させた布帛を洗浄することにより未染着の染料を布帛から除去する工程、上記３工程（ａ），（ｂ），（ｃ）を少なくとも有するインクジェット法を用いるカラー捺染方法において、混色部の各染料の付着量の合計を０．０２５〜１ｍｇ／ｃｍ２　とするとともに、混色部における捺染インク小滴の着滴順序をブラックを最初、イエローを最後とすることを特徴とするインクジェット法を用いるカラー捺染方法。」（特許請求の範囲請求項１）
　７−ロ：捺染インクについて、「本発明において使用する捺染インクは、色素、水、有機溶剤、添加剤等からなる」（段落【００１６】）
　７−ハ：色素について、「色素としては、染料が好ましく、布帛に対して染色可能であれば良い。酸性染料、直接染料、カチオン染料、反応染料、分散染料、建染染料等を用いることができる。」（段落【００１７】）
　
　先願２には、下記の記載がある。
  ８−イ：「布帛に染料がドット状に染着されて、所望の捺染柄に形成されているものであって、上記ドット状の染着が分散染料によるものと反応染料によるものとから成ることを特徴とする捺染布帛。」（特許請求の範囲）
　８−ロ：上記布帛について、「本発明において布帛とは、織物、編物又は不織布であって、具体的には分散染料で染着する難染色性繊維であるポリエステル，ビニロン，アセテート，ポリプロピレン等と、反応染料で染着する易染色性繊維である綿，麻，絹等の混紡品，交織物等が挙げられる。」（段落【０００７】）
　８−ハ：上記分散染料について、「本発明において用いられる分散染料としては、アントラキノン系，アゾ系，ニトロジフェニルアミン系，メチン系，アミノケトン系，ケトイミン系等が挙げられ、インクジェット方式のインクとして鮮明性，耐光性に優れるものとしては、例えば、Ｃ．Ｉ．デスパーズイエロー７９，１６０；Ｃ．Ｉ．デスパーズレッド５０，７２，１２７，１４６，２８３；Ｃ．Ｉ．デスパーズブルー７３，１４２，１９８，２２４；Ｃ．Ｉ．デスパーズブラック１等が挙げられるが、これらの染料に限定されるものではない。かかる染料はインク中において通常０．１〜２０重量％を占める割合で使用される。」（段落【０００８】）
　８−ニ：溶媒について、「上記の分散染料及び反応染料の溶媒は通常のインクジェット捺染で用いるものが挙げられ、例えば水または水と水溶性有機溶剤との混合溶媒が挙げられる。・・・・・そして、分散染料及び反応染料からなるインクには各種の分散剤・・・等を必要に応じて添加する。」（段落【００１０】）
　８−ホ：インクの付与について、「そして３種または４種の分散染料（３原色または３原色とブラックの分散染料）各々から成るインクと３種または４種の反応染料（３原色または３原色とブラックの反応染料）各々から成るインクの合計６種または８種を上記インクジェット装置に用い、各々別々のヘッドから噴射させることにより、無制限に近い色数を容易に表現できるようになる。」（段落【００１２】）
　８−ヘ：実施例として：「一方、Ｃ．Ｉ．Ｒｅａｃｔｉｖｅ Ｙｅｌｌｏｗ １７（反応染料）３０重量部と水７０重量部からなるインク、Ｃ．Ｉ．Ｒｅａｃｔｉｖｅ Ｒｅｄ １１１（反応染料）３０重量部と水７０重量部からなるインク、Ｃ．Ｉ．Ｒｅａｃｔｉｖｅ Ｂｌｕｅ １９（反応染料）３０重量部と水７０重量部からなるインク、Ｃ．Ｉ．Ｒｅａｃｔｉｖｅ Ｂｌａｃｋ ５（反応染料）３０重量部と水７０重量部からなるインク、Ｃ．Ｉ．Ｄｉｓｐｅｒｓｅ Ｙｅｌｌｏｗ ７９（分散染料）１０重量部と水９０重量部からなるインク、Ｃ．Ｉ．Ｄｉｓｐｅｒｓｅ Ｒｅｄ ２８３（分散染料）１０重量部と水９０重量部からなるインク、Ｃ．Ｉ．Ｄｉｓｐｅｒｓｅ Ｂｌｕｅ ２２４（分散染料）１０重量部と水９０重量部とからなるインク、Ｃ．Ｉ．Ｄｉｓｐｅｒｓｅ Ｂｌａｃｋ １（分散染料）１０重量部と水９０重量部とからなるインクの８種類のインクを８個のインクジェットヘッドを持つインクジェットプリンターに搭載し、上記前処理した織物に８ドット／ｍｍの連続プリントを行い、イエロー，レッド，ブルー，ブラックの４色を得た。次いで１２０℃にて２分間乾燥し、２１０℃で６０秒サーモゾルを行った。その後ケイ酸ソーダ１００ｇ／ｌ、食塩２００ｇ／ｌ及び残部を水で調整した処理液を該平織物にパッディング処理し、マングルで絞り率７０％に絞った後、飽和蒸気１０２℃にて４５秒間蒸熱処理した後、洗浄，乾燥し実施例１の製品を得た。」（段落【００１８】）
　
４．対比・判断
（１）上記（理由１）について
〈請求項１について〉
　本件請求項１に係る発明（以下、「本件発明１」という。）と、上記刊行物１ないし３に記載された発明とを比較すると、上記刊行物１ないし３に記載された発明は、いずれも「インクジェット方式によって分散染料を含む記録液を合成繊維および／または半合成繊維からなる布帛類に付与し、次いで染着処理する捺染方法」に係るものであり（上記記載１−イ、２−イ、３−イ参照）、用いられる分散染料（上記記載１−ハ、２−ハ、３−ハ参照）及び布帛類（上記記載１−ロ、２−ロ、３−ロ参照）、インクを付与する工程、インクが付与された布帛を熱処理する工程、熱処理した布帛を洗浄する工程を有する点（上記記載１−ニ、２−ニ、３−ニ参照）において本件発明１と共通するものである。
  しかしながら、本件発明１においては、ａ：少なくともレッド、及びブルーの２色のインクを用いてマンセル色標系でパープルまたはパープルブルーに含まれる色相のプリントを行う方法であって、前記２色のインクを少なくとも一部が重なるように布帛上に付与すること、ｃ：前記少なくとも２色のインクの混色部における色素の付着量が、０．０１ｍｇ〜１ｍｇ／ｃｍ２　の範囲にあること、をさらなる特定事項として含んでいるのに対して、上記刊行物１ないし３に記載された発明においては、上記ａ及びｃの事項についてはまったく言及されていない。そして上記ａ及びｂの事項が周知技術として自明であるとも認められないことから、本件発明１は上記ａ及びｃの特定事項を有する点において、上記刊行物１ないし３に記載された発明とは明らかに相違するものである。
  したがって、本件発明１は上記刊行物１ないし３のいずれにも記載された発明ではない。
　
  本件発明１と、上記刊行物４に記載された発明とを比較すると、上記刊行物４に記載された発明は、「繊維構造物をインクジェット方式によって染色または捺染する方法」に係るものであり（上記記載４−イ参照）、分散染料によりポリエステル布帛を染色する点（上記記載４−ニ参照）、及びインク色素の付着量が重複する点（上記記載４−ロ、ハ、ニ参照）において本件発明１と共通するものである。
  しかしながら、本件発明１においては、ａ：少なくともレッド、及びブルーの２色のインクを用いてマンセル色標系でパープルまたはパープルブルーに含まれる色相のプリントを行う方法であって、前記２色のインクを少なくとも一部が重なるように布帛上に付与すること、ｂ：前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有すること、をさらなる特定事項として含んでいるのに対して、上記刊行物４に記載された発明においては、上記ａ及びｂの事項についてはまったく言及されていない。そして上記ａ及びｂの事項が周知技術として自明であるとも認められないことから、本件発明１は上記ａ及びｂの特定事項を有する点において、上記刊行物４に記載された発明とは明らかに相違するものである。
  したがって、本件発明１は上記刊行物４に記載された発明ではない。
　
  上記刊行物５及び刊行物６には、インクジェットプリント方法において２色のインクを重なるように付与することが記載されている（上記記載５−イ、ロ、６−イ参照）。
  しかしながら、本件発明１においては、ａ：少なくともレッド、及びブルーの２色のインクを用いてマンセル色標系でパープルまたはパープルブルーに含まれる色相のプリントを行う方法であって、前記２色のインクを少なくとも一部が重なるように布帛上に付与すること、ｂ：前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有すること、ｃ：前記少なくとも２色のインクの混色部における色素の付着量が、０．０１ｍｇ〜１ｍｇ／ｃｍ２　の範囲にあること、をさらなる特定事項として含んでいるのに対して、上記刊行物５及び６に記載された発明においては、上記ａないしｃの事項についてはまったく言及されていない。そして上記ａないしｃの事項が周知技術として自明であるとも認められないことから、本件発明１は上記ａないしｃの特定事項を有する点において、上記刊行物５及び刊行物６に記載された発明とは明らかに相違するものである。
  したがって、本件発明１は上記刊行物５及び刊行物６のいずれにも記載された発明ではない。
　
〈請求項２〜１０について〉
　本件請求項２ないし１０に係る発明は、いずれも本件発明１の特定事項をその主たる特定事項として含むものであるが、本件発明１は上述したように上記刊行物１ないし刊行物６に記載された発明とは認められず、したがって同様の理由により、本件請求項２ないし１０に係る発明もまた、上記刊行物１ないし刊行物６に記載された発明とは認められない。
　
〈請求項１１について〉
　本件請求項１１に係る発明は、本件発明１のインクジェットプリント方法によって得られる「プリント物」であり、本件発明１の特定事項をその主たる特定事項として含むものである。しかし、本件発明１は上述したように上記刊行物１ないし刊行物６に記載された発明とは認められないので、同様の理由により、本件請求項１１に係る発明もまた、上記刊行物１ないし刊行物６に記載された発明とは認められない。
　
〈請求項１２〜１６について〉
　本件請求項１２ないし１６に係る発明は、いずれも本件発明１１の特定事項をその主たる特定事項として含むものであるが、本件発明１１は上述したように上記刊行物１ないし刊行物６に記載された発明とは認められず、したがって同様の理由により、本件請求項１２ないし１６に係る発明もまた、上記刊行物１ないし刊行物６に記載された発明とは認められない。
　
（２）上記（理由２）について
〈請求項１について〉
　本件発明１と上記刊行物１ないし３にそれぞれ記載された発明とを比較すると、上記（１）で述べたように両者は、本件発明１においては「少なくともレッド、及びブルーの２色のインクを用いてマンセル色標系でパープルまたはパープルブルーに含まれる色相のプリントを行う方法であって、前記２色のインクを少なくとも一部が重なるように布帛上に付与する」のに対して、刊行物１ないし３記載の方法においてはインクの色とプリントの色相については特に定められていないこと（相違点Ａ）、「少なくとも２色のインクの混色部における色素の付着量が、０．０１ｍｇ〜１ｍｇ／ｃｍ２　の範囲にある」のに対して、上記刊行物１ないし３に記載された発明においては色素の付着量については特に定められていないこと（相違点Ｂ）の２点で相違しており、その余の点では一致している。
　上記相違点Ａについて検討するに、刊行物５には、レッド、ブルー、グリーン等の色が使われ、１ドットに２色のインクがプリントされることが記載されており（上記記載５−ロ参照）、刊行物６には、グリーンを表現する場合にはイエローインクとブルーインクが重なって打点されることが記載されている（上記記載６−イ参照）。しかしながら、本件発明１においては、「特にバイオレット系からブルー系の色再現性は、マゼンタとシアンの混色による手法のみでは、従来の捺染なみの色調や彩度が表現しきれなかった」（本件特許明細書段落【００１１】参照）として、マンセル色標系でパープルまたはパープルブルーに含まれる色相のプリントを行う際の問題点を認識し、これを解決することを発明の目的とした上でプリントの色相を特定しているものである。これに対して、上記刊行物５あるい刊行物６記載の方法においては、たくさんの色の組合せがある中で特にバイオレット系からブルー系の色再現性について考慮されているわけではないから、これらの記載を参照しても上記相違点Ａに挙げられた構成を導き出すことはできない。
　次に相違点Ｂについて検討するに、刊行物４にはインクの濃度とその付着量が記載されており（上記記載４−ロ、ハ、ニ参照）、これに基づいて計算すると色素の付着量が本件発明１において特定する範囲と重複する。しかしながら、本件発明１において混色部における色素の付着量を特定の範囲に定めているのは濃度、色再現範囲、染色安定性等の向上を目的としている（本件特許明細書段落【００４７】参照）のに対して、刊行物４記載の発明においてインクの付与量を定めているのは繊維構造物表面上でインクが未付与の部分を存在させないようにするためであって（上記記載４−ハ参照）、その目的がまったく異なるものである。したがって刊行物４の記載を参照しても上記相違点Ｂに挙げられた構成を導き出すことはできない。
　そして本件発明１は、上記相違点Ａ、Ｂに挙げられた構成を併せて備えることによって、バイオレットからブルーの領域の色再現性が良く、しかも生産安定性にすぐれたプリント物を得ることができるという明細書記載の効果を奏するものである。
　したがって、本件発明１は、上記刊行物１ないし刊行物６に記載された発明に基づいて当業者が容易になし得た発明とは認められない。
　
〈請求項２〜１０について〉
　本件請求項２ないし１０に係る発明は、いずれも本件発明１の特定事項をその主たる特定事項として含むものであるが、本件発明１は上述したように上記刊行物１ないし刊行物６に記載された発明に基づいて当業者が容易になし得た発明とは認められず、したがって同様の理由により、本件請求項２ないし１０に係る発明もまた、上記刊行物１ないし刊行物６に記載された発明に基づいて当業者が容易になし得た発明とは認められない。
　
〈請求項１１について〉
　本件請求項１１に係る発明は、本件発明１のインクジェットプリント方法によって得られる「プリント物」であり、本件発明１の特定事項をその主たる特定事項として含むものである。しかし、本件発明１は上述したように上記刊行物１ないし刊行物６に記載された発明に基づいて当業者が容易になし得た発明とは認められないので、同様の理由により、本件請求項１１に係る発明もまた、上記刊行物１ないし刊行物６に記載された発明に基づいて当業者が容易になし得た発明とは認められない。
　
〈請求項１２〜１６について〉
　本件請求項１２ないし１６に係る発明は、いずれも本件発明１１の特定事項をその主たる特定事項として含むものであるが、本件発明１１は上述したように上記刊行物１ないし刊行物６に記載された発明に基づいて当業者が容易になし得た発明とは認められず、したがって同様の理由により、本件請求項１２ないし１６に係る発明もまた、上記刊行物１ないし刊行物６に記載された発明に基づいて当業者が容易になし得た発明とは認められない。
　
（３）上記（理由３）について
〈請求項１について〉
　本件発明１と、上記先願１に係る発明とを比較すると、先願１に係る発明が「インクジェット法を用いるカラー捺染方法」であり（上記記載７−イ参照）、使用される捺染インクが「色素、水、有機溶剤、添加剤等からなる」ものであり（上記記載７−ロ参照）、かつ色素として布帛に対して染色可能な「分散染料」が用いられるものである（上記記載７−ハ参照）ことから、両者は、「少なくとも２色のインクを、インクジェット方式によって、布帛に付与してプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の工程を少なくとも有し、前記布帛が分散染料で染色可能な繊維を含有する布帛であり、前記インクが何れも色素、色素を分散する化合物、及び、水性液媒体を少なくとも含有し、前記少なくとも２色のインクの混色部における色素の付着量が、０．０２５〜１ｍｇ／ｃｍ２　の範囲にあることを特徴とするインクジェットプリント方法。」である点で一致するものである。
　しかし、本件発明１は「少なくともレッド、及びブルーの２色のインク」を用いて「マンセル色標系でパープルまたはパープルブルーに含まれる色相」のプリントを行う方法であるのに対して、上記先願１に係る発明は「少なくともイエローと、ブラックと、及びレッド、グリーン、ブルーの中から選ばれる１種の合計３種の捺染インク」のうちの２色以上を用いるものであるから、レッドインクとブルーインクの組合せはあり得ない。
　したがって、両者は用いるインクの種類が異なるものであるから、本件発明１は上記先願１に係る発明と同一ではない。
　
〈請求項２〜１０について〉
　本件請求項２ないし１０に係る発明は、いずれも本件発明１の特定事項をその主たる特定事項として含むものであるが、本件発明１は上述したように上記先願１に係る発明と同一であるとは認められず、したがって同様の理由により、本件請求項２ないし１０に係る発明もまた、上記先願１に係る発明と同一であるとは認められない。
　
〈請求項１１について〉
　本件請求項１１に係る発明は、本件発明１のインクジェットプリント方法によって得られる「プリント物」であり、本件発明１の特定事項をその主たる特定事項として含むものである。しかし、本件発明１は上述したように上記先願１に係る発明と同一であるとは認められないので、同様の理由により、本件請求項１１に係る発明もまた、上記先願１に係る発明と同一であるとは認められない。
　
〈請求項１２〜１６について〉
　本件請求項１２ないし１６に係る発明は、いずれも本件発明１１の特定事項をその主たる特定事項として含むものであるが、本件発明１１は上述したように上記先願１に係る発明と同一であるとは認められず、したがって同様の理由により、本件請求項１２ないし１６に係る発明もまた、上記先願１に係る発明と同一であるとは認められない。
　
（４）上記（理由４）について
〈請求項１について〉
　本件発明１と、上記先願２に記載された発明とを比較すると、先願２に記載された発明は「布帛に染料がドット状に染着され、上記ドット状の染着が分散染料によるものと反応染料によるものとから成る捺染布帛」に係るものであって（上記記載８−イ参照）、使用される布帛が「分散染料で染着する難染色性繊維であるポリエステル，ビニロン，アセテート，ポリプロピレン等と、反応染料で染着する易染色性繊維である綿，麻，絹等の混紡品，交織物等」であり（上記記載８−ロ参照）、分散染料として「Ｃ．Ｉ．デスパーズレッド２８３」「Ｃ．Ｉ．デスパーズブルー７２」「Ｃ．Ｉ．デスパーズブルー２２４」が例示され（上記記載８−ハ参照）、かつその溶媒として水、あるいは水と水溶性有機溶剤との混合溶媒及び分散剤が示されており（上記記載８−ニ参照）、さらに、インクの付与形態としては２種の分散染料を含むインクが重なって付与される場合も含み得るものであって（上記記載８−ホ参照）、その混色部における色素の付着量も本件発明１で特定する範囲内の値をとり得るものである。そして、実施例の記載から、インクジェット方式によりインクの付与された布帛は熱処理を経て洗浄処理されていることは明らかである（上記記載８−ヘ参照）ことから、先願２に記載された発明においてレッドインクの色素として「ディスパーズレッド２８３」、ブルーインクの色素として「ディスパーズブルー７３」「ディスパーズブルー２２４」を用いる場合に限り、両者はその構成においてすべて一致するものである。
　しかし、本件発明１においては「（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合、およびＣ．Ｉ．ディスパーズレッド２８３を含有するレッドインクとＣ．Ｉ．ディスパーズブルー７３を含有するブルーインクとの組合せを用いる場合を除く）」として、上記先願２に記載された発明におけるレッドインクとブルーインクの組合せと重複する場合を排除しており、インクの組合せにおいて両者が一致する部分は存在しない。
　したがって、用いるインクの種類が異なるものであるから、本件発明１は上記先願２に記載された発明と同一ではない。
　
〈請求項２〜１０について〉
　本件請求項２ないし１０に係る発明は、いずれも本件発明１の特定事項をその主たる特定事項として含むものであるが、本件発明１は上述したように上記先願２に記載された発明と同一であるとは認められず、したがって同様の理由により、本件請求項２ないし１０に係る発明もまた、上記先願２に記載された発明と同一であるとは認められない。
　
〈請求項１１について〉
　本件請求項１１に係る発明は、本件発明１のインクジェットプリント方法によって得られる「プリント物」であり、本件発明１の特定事項をその主たる特定事項として含むものである。しかし、本件発明１は上述したように上記先願２に記載された発明と同一であるとは認められないので、同様の理由により、本件請求項１１に係る発明もまた、上記先願２に記載された発明と同一であるとは認められない。
　
〈請求項１２〜１６について〉
　本件請求項１２ないし１６に係る発明は、いずれも本件発明１１の特定事項をその主たる特定事項として含むものであるが、本件発明１１は上述したように上記先願２に記載された発明と同一であるとであるは認められず、したがって同様の理由により、本件請求項１２ないし１６に係る発明もまた、上記先願２に記載された発明と同一であるとは認められない。
　
IV．むすび
  以上のとおりであるから特許異議の申立ての理由によっては本件請求項１ないし請求項１６に係る特許を取り消すことはできない。
　また、他に本件請求項１ないし請求項１６に係る発明についての特許を取り消すべき理由を発見しない。
　したがって、本件請求項１ないし請求項１６に係る発明の特許は、拒絶の査定をしなければならない特許出願に対してされたものと認めないから、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年６月２５日（２００２．６．２５）
【訂正の要旨】
訂正の要旨　［特許第３００５１４２号］
　特許第３００５１４２号発明の明細書を、下記のとおり訂正する。
１．特許請求の範囲請求項１の、
「【請求項１】少なくともレッド、及びブルーの２色のインクを、インクジェット方式によって、布帛上に付与してプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種を含有し、前記ブルーインクは色素としてＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種を含有し、前記少なくとも２色のインクの混色部における色素の付着量が、０．０１ｍｇ〜１ｍｇ／ｃｍ２の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せを用いる場合を除く）。」との記載を、特許請求の範囲の減縮を目的として、
「【請求項１】少なくともレッド、及びブルーの２色のインクを、インクジェット方式によって、布帛上に付与してマンセル色標系でパープルまたはパープルブルーに含まれる色相のプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有し、前記少なくとも２色のインクの混色部における色素の付着量が、０．０１ｍｇ〜１ｍｇ／ｃｍ２の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ、およびＣ．Ｉ．ディスパーズレッド２８３を含有するレッドインクとＣ．Ｉ．ディスパーズブルー７３を含有するブルーインクとの組合せを用いる場合を除く）。」と訂正する。
２．特許請求の範囲の【請求項８】及び【請求項９】を、明瞭でない記載の釈明を目的として削除する。
３．特許請求の範囲の「【請求項１０】」を、明瞭でない記載の釈明を目的として、「【請求項８】」と訂正する。
４．特許請求の範囲の「【請求項１１】」を、明瞭でない記載の釈明を目的として、「【請求項９】」と訂正するとともに、「請求項１０」を「請求項８」と訂正する。
５．特許請求の範囲の「【請求項１２】」を、明瞭でない記載の釈明を目的として、「【請求項１０】」と訂正するとともに、「請求項１１」を「請求項９」と訂正する。
６．「【請求項１３】レッド、ブルーの２色の色素が少なくとも一部重複した状態で、分散染料で染色可能な繊維を含有する布帛を染色しているプリント物であって、前記レッド色素がＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種であり、前記ブルー色素がＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種であり、且つ少なくとも２色の色素の混色部における量が０．０１ｍｇ〜１ｍｇ／ｃｍ２の範囲にあることを特徴とするプリント物（但し、前記２色の色素がＣ．Ｉ．ディスパーズレッド２８３及びＣ．Ｉ．ディスパーズブルー２２４の組合せである場合を除く）。」を、特許請求の範囲の減縮ならびに明瞭でない記載の釈明を目的として、
「【請求項１１】レッド、ブルーの２色の色素が少なくとも一部重複した状態で、分散染料で染色可能な繊維を含有する布帛を、マンセル色標系でパープルまたはパープルブルーに含まれる色相に染色しているプリント物であって、前記レッド色素がＣ．Ｉ．ディスパーズレッド９２、１２６、１３５、１４５、１５２、１５９、１７７、１８１、２０６、２８３及び３４８よりなる群の中から選ばれる少なくとも一種であり、前記ブルー色素がＣ．Ｉ．ディスパーズブルー５６、７３、１２８、１５４、１６５、２０１、２１４、２２４、２５７、２６６、２６７、２８７及び３６８よりなる群の中から選ばれる少なくとも一種であり、且つ少なくとも２色の色素の混色部における量が０．０１ｍｇ〜１ｍｇ／ｃｍ２の範囲にあることを特徴とするプリント物（但し、前記２色の色素がＣ．Ｉ．ディスパーズレッド２８３及びＣ．Ｉ．ディスパーズブルー２２４の組合せと、Ｃ．Ｉ．ディスパーズレッド２８３及びＣ．Ｉ．ディスパーズブルー７３の組合せである場合を除く）。」と訂正する。
７．特許請求の範囲の「【請求項１４】」を、明瞭でない記載の釈明を目的として、「【請求項１２】」と訂正するとともに、「請求項１３」を「請求項１１」と訂正する。
８．特許請求の範囲の【請求項１５】及び【請求項１６】を、明瞭でない記載の釈明を目的として削除する。
９．特許請求の範囲の「【請求項１７】」を、明瞭でない記載の釈明を目的として、「【請求項１３】」と訂正するとともに、「請求項１３」を「請求項１１」と訂正する。
１０．特許請求の範囲の「【請求項１８】」を、明瞭でない記載の釈明を目的として、「【請求項１４】」と訂正するとともに、「請求項１７」を「請求項１３」と訂正する。
１１．特許請求の範囲の「【請求項１９】」を、明瞭でない記載の釈明を目的として、「【請求項１５】」と訂正するとともに、「請求項１２又は１３」を「請求項１０又は１１」と訂正する。
１２．特許請求の範囲の「【請求項２０】」を、明瞭でない記載の釈明を目的として、「【請求項１６】」と訂正するとともに、「請求項１０」を「請求項１５」と訂正する。
１３．明細書段落【００１４】の、
「【００１４】即ち、本発明のインクジェットプリント方法は、少なくともレッド、及びブルーの２色のインクを、インクジェット方式によって、布帛上に付与してプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種を含有し、前記ブルーインクは色素としてＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種を含有し、前記少なくとも２色のインクの混色部における色素の付着量が、０．０１ｍｇ〜１ｍｇ／ｃｍ２の範囲にあることを特徴とするものである（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せを用いる場合を除く）。また本発明のプリント物は、レッド、ブルーの２色の色素が少なくとも一部重複した状態で、分散染料で染色可能な繊維を含有する布帛を染色しているプリント物であって、前記レッド色素がＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種であり、前記ブルー色素がＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種であり、且つ少なくとも２色の色素の混色部における量が０．０１ｍｇ〜１ｍｇ／ｃｍ２の範囲にあることを特徴とするものである（但し、前記２色の色素がＣ．Ｉ．ディスパーズレッド２８３及びＣ．Ｉ．ディスパーズブルー２２４の組合せである場合を除く）。」との記載を、
「【００１４】即ち、本発明のインクジェットプリント方法は、少なくともレッド、及びブルーの２色のインクを、インクジェット方式によって、布帛上に付与してマンセル色標系でパープルまたはパープルブルーに含まれる色相のプリントを行う方法であって、（ａ）前記２色のインクを少なくとも一部が重なるように布帛上に付与する工程、（ｂ）前記インクが付与された布帛を熱処理する工程、（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッド９２、１２６、１３５、１４５、１５２、１５９、１７７、１８１、２０６、２８３及び３４８よりなる群の中から選ばれる少なくとも一種を含有し、前記ブルーインクは色素としてＣ．Ｉ．ディスパーズブルー５６、７３、１２８、１５４、１６５、２０１、２１４、２２４、２５７、２６６、２６７、２８７及び３６８よりなる群の中から選ばれる少なくとも一種を含有し、前記少なくとも２色のインクの混色部における色素の付着量が、０．０１ｍｇ〜１ｍｇ／ｃｍ２の範囲にあることを特徴とするものである（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ、およびＣ．Ｉ．ディスパーズレッド２８３を含有するレッドインクとＣ．Ｉ．ディスパーズブルー７３を含有するブルーインクとの組合せを用いる場合を除く）。また本発明のプリント物は、レッド、ブルーの２色の色素が少なくとも一部重複した状態で、分散染料で染色可能な繊維を含有する布帛を、マンセル色標系でパープルまたはパープルブルーに含まれる色相に染色しているプリント物であって、前記レッド色素がＣ．Ｉ．ディスパーズレッド９２、１２６、１３５、１４５、１５２、１５９、１７７、１８１、２０６、２８３及び３４８よりなる群の中から選ばれる少なくとも一種であり、前記ブルー色素がＣ．Ｉ．ディスパーズブルー５６、７３、１２８、１５４、１６５、２０１、２１４、２２４、２５７、２６６、２６７、２８７及び３６８よりなる群の中から選ばれる少なくとも一種であり、且つ少なくとも２色の色素の混色部における量が０．０１ｍｇ〜１ｍｇ／ｃｍ２の範囲にあることを特徴とするものである（但し、前記２色の色素がＣ．Ｉ．ディスパーズレッド２８３及びＣ．Ｉ．ディスパーズブルー２２４の組合せと、Ｃ．Ｉ．ディスパーズレッド２８３及びＣ．Ｉ．ディスパーズブルー７３の組合せである場合を除く）。」と訂正する。
（５４）【発明の名称】
インクジェットプリント方法、及び、プリント物
（５７）【特許請求の範囲】
　【請求項１】　少なくともレッド、及びブルーの２色のインクを、インクジェット方式によって、布帛上に付与して
マンセル色標系でパープルまたはパープルブルーに含まれる色相の
（ａ）前記２色のインクを少なくとも一部が重なるように布帛上に付与する工程、
（ｂ）前記インクが付与された布帛を熱処理する工程、
（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、
　前記レッドインクは、色素としてＣ．Ｉ．ディスパーズレッ
ド９
、１
、１
、１
、１
、１
、２
、２
及び
８よ
　前記ブルーインクは色素としてＣ．Ｉ．ディスパーズブルー５６、７３
、１
、１
、１
、２
、２
及び
　前記少なくとも２色のインクの混色部における色素の付着量が、０．０１ｍｇ〜１ｍｇ／ｃｍ２の範囲にあることを特徴とするインクジェットプリント方法（但し、レッド及びブルーの２色のインクの組合せとして、Ｃ．Ｉ．ディスパーズレッド２８３を含有するレッドインクとＣ．Ｉ．ディスパーズブルー２２４を含有するブルーインクとの組合せ
、およびＣ．Ｉ．ディスパーズレッド２８３を含有するレッドインクとＣ．Ｉ．ディスパーズブルー７３を含有するブルーインクとの組合せ
　【請求項２】　前記布帛がポリエステル繊維を含むものである請求項１に記載のインクジェットプリント方法。
　【請求項３】　前記熱処理が、高湿蒸熱（ＨＴスチーミング）法またはサーモゾル法である請求項１に記載のインクジェットプリント方法。
　【請求項４】　前記インクジェット方式が熱エネルギーを利用してインクを吐出させるインクジェット方式である請求項１に記載のインクジェットプリント方法。
　【請求項５】　前記インクの吐出速度が５〜２０ｍ／ｓｅｃである請求項１又は４に記載のインクジェットプリント方法。
　【請求項６】　前記（ａ）工程の前に前記布帛を前処理する請求項１に記載のインクジェットプリント方法。
　【請求項７】　前処理として、尿素、水溶性高分子、水溶性金属塩の少なくとも１種を布帛に含有させる請求項１に記載のインクジェットプリント方法。
　【請求項
８
　【請求項
９
８
　【請求項
１０
９
　【請求項
１１
、マンセル色標系でパープルまたはパープルブルーに含まれる色相に
　前記レッド色素がＣ．Ｉ．ディスパーズレッ
ド９
、１
、１
、１
、１
、１
、２
、２
及び
８よ
　前記ブルー色素がＣ．Ｉ．ディスパーズブルー５６、７３
、１
、１
、１
、２
、２
及び
と、Ｃ．Ｉ．ディスパーズレッド２８３及びＣ．Ｉ．ディスパーズブルー７３の組合せ
　【請求項
１２
１１
　【請求項
１３
１１
　【請求項
１４
１３
　【請求項
１５
１０
１１
　【請求項
１６
１５
【発明の詳細な説明】
　【０００１】
　【産業上の利用分野】
　本発明はインクジェット法により布帛にプリントを行う方法及びプリント物に関する。
　【０００２】
　【従来の技術】
　現在、捺染の主流はスクリーン捺染、ローラー捺染である。しかしながら、これらの方式は、多品種少量生産に不向きであり、流行への迅速な対応も困難であることから最近では、無製版の電子捺染システムの確立が要望されている。
　【０００３】
　この要望に対してインクジェットによる捺染方法が数多く提案されており各方面からの期待も大きくなっている。
　【０００４】
　インクジェット捺染の課題としては、（１）発色に十分な濃度を与えること、（２）色素の布帛に対する染着率が高く洗浄工程後の、廃水処理が容易であること、（３）布帛上で異色間の混色による不規則なにじみが目立たないこと、（４）色再現の範囲が広いこと、（５）常に安定した生産が可能であること、等が挙げられる。
　【０００５】
　これらの課題を満足させるために、従来においては、主としてインクに様々な添加剤を加えたり、インクの打込量を操作したり、布帛に前もって処理を施す等の対応を行ってきた。
　【０００６】
　また分散染料を用いて捺染を行う布帛、例えば、ポリエステル布帛に対するインクジェット捺染方法として、特開昭６１−１１８４７７に、昇華温度が１８０℃以上の分散染料を使用するという方法が開示されている。しかし、昇華温度のみに着目した分散染料を色素としてもちいたインクを用いて捺染を行うと、各インクを単独で染着させた場合には良好な発色を示すのに対し、インクを布上で混色させた場合、使用する染料の組み合わせによっては、染着後の濃度や、色調、同じ染着条件で染着したときの繰り返しの再現性が非常に異なり、上記の（１）、（４）、（５）等を同時に満たさなくなる場合が多く、様々な色表現を行うためには、かかる方法では、まだ不十分であった。
　【０００７】
　したがって、従来の技術だけでは、前述した各種の要求項目、とりわけ（５）項を充分に満たすことは不可能であった。
　【０００８】
　また上記（４）の色再現範囲の広さがどこまでだせるかが、インクジェットによる捺染を広く普及させるためには重要である。
　【０００９】
　なぜならば、従来の捺染では、色ごとに捺染糊を調合するため、非常に多くの色調の染料を自由に採用できたのに対し、インクジェットによる捺染では、インクを布上で混色させて色のバリエーションを得るため、使用するインクの色は数種類に限られしまう。
　【００１０】
　従来の紙等の被記録材へのインクジェットプリントでは、イエロー、マゼンタ、シアンの３原色による減法混色ですべての色を表すことが多かった。
　【００１１】
　しかし、インクジェット捺染で、ポリエステルを主体とするような布帛に対して分散染料を含有するインクを用いて捺染する際、特にバイオレット系からブルー系の色再現性は、マゼンタとシアンの混色による手法のみでは、従来の捺染なみの色調や彩度が表現しきれなかった。
　【００１２】
　【発明が解決しようとする課題】
　従って、本発明の目的は、分散染料で染色可能な繊維を主体として構成される布帛に、インクジェットプリントする際に、上述のごとき従来の一般的なインクジェット捺染の問題を解決すること、とりわけ、バイオレット系からブルー系にかけての色再現範囲が格段に広いプリント物を得ることができ、更に、加熱による染着処理条件が多少変化しても、安定な画像を得得ることができるインクジェットプリント方法及びプリント物を提供することである。
　【００１３】
　【課題を解決するための手段】
　係る目的は、以下の本発明によって達成される。
　【００１４】
　即ち、本発明のインクジェットプリント方法は、少なくともレッド、及びブルーの２色のインクを、インクジェット方式によって、布帛上に付与して
マンセル色標系でパープルまたはパープルブルーに含まれる色相の
（ａ）前記２色のインクを少なくとも一部が重なるように布帛上に付与する工程、
（ｂ）前記インクが付与された布帛を熱処理する工程、
（ｃ）前記熱処理した布帛を洗浄する工程、の３工程を少なくとも有し、前記布帛が分散染料で染色可能な繊維を含有する布帛であり、前記インクが何れも色素、色素を分散する化合物、及び、水性液媒体を少なくとも含有し、前記レッドインクは、色素としてＣ．Ｉ．ディスパーズレッ
ド９
、１
、１
、１
、１
、１
、２
、２
及び
８よ
、１
、１
、１
、２
、２
及び
、およびＣ．Ｉ．ディスパーズレッド２８３を含有するレッドインクとＣ．Ｉ．ディスパーズブルー７３を含有するブルーインクとの組合せ
、マンセル色標系でパープルまたはパープルブルーに含まれる色相に
ド９
、１
、１
、１
、１
、１
、２
、２
及び
８よ
、１
、１
、１
、２
、２
及び
と、Ｃ．Ｉ．ディスパーズレッド２８３及びＣ．Ｉ．ディスパーズブルー７３の組合せ
　【００１５】
　更に、本発明は、レッド、ブルーの２色の色素が少なくとも一部重複した状態で染着されているプリント物であって、前記レッド色素がＣ．Ｉ．ディスパーズレッド５４、７２、７３、８６、８８、９１、９２、９３、１１１、１２６、１２７、１３４、１３５、１４３、１４５、１５２、１５３、１５４、１５９、１６４、１６７：１、１７７、１８１、２０４、２０６、２０７、２２１、２５８、２７８、２８３、２８８、３１１、３２３、３４３、３４８、３５６、及びＣ．Ｉ．ディスパーズバイオレット３３よりなる群の中から選ばれる少なくとも一種を含有し、前記ブルーインクは色素としてＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、及び３６８よりなる群の中から選ばれる少なくとも一種を含有し、前記プリント物が分散染料で染色可能な繊維を含有する布帛にプリントされたものであることを特徴とするプリント物である。
　【００１６】
　本発明において使用する布帛を構成する素材としては、分散染料で染色可能な繊維を含有するものである。中でも、ポリエステル、アセテート、トリアセテートを含有するものが好ましい。その中でもポリエステルを含有するものが特に好ましいものである。上記繊維は織物、編物、不織布等いずれの形態でも使用できる。
　【００１７】
　係る布帛は、分散染料で染色可能な繊維１００％のものが好適であるが、混紡率３０％以上、好ましくは、５０％以上であれば、分散染料で染色可能な繊維と他の素材、例えばレーヨン、綿、ポリウレタン、アクリル、ナイロン、羊毛、絹等との混紡織布又は混紡不織布等も本発明の捺染用布帛として使用することができる。
　【００１８】
　また上記のような本発明において使用する捺染用布帛は、必要に応じて従来の前処理方法を併用することができる。特に、尿素、水溶性高分子、水溶性金属塩等を、０．０１〜２０重量％含有させたものが好適である。
　【００１９】
　水溶性高分子の例としては、トウモロコシ、小麦等のデンプン物質、カルボキシメチルセルロース、メチルセルロース、ヒドロキシエチルセルロース等のセルロース系物質、アルギン酸ナトリウム、アラビヤゴム、ローカストビーンガム、トラガントガム、グアーガム、タマリンド種子等の多糖類、ゼラチン、カゼイン等のタンパク質物質、タンニン系物質、リグニン系物質等の公知の天然水溶性高分子が挙げられる。
　【００２０】
　又、合成高分子としては、例えば、公知のポリビニルアルコール系化合物、ポリエチレンオキサイド系化合物、アクリル酸系水溶性高分子、無水マレイン酸系水溶性高分子等が挙げられる。これらの中でも多糖類系高分子やセルロース系高分子が好ましい。
　【００２１】
　水溶性金属塩としては、例えば、アルカリ金属、アルカリ土類金属のハロゲン化物のように、典型的なイオン結晶を形成するものであって、ｐＨ４〜１０である化合物が挙げられる。かかる化合物の代表的な例としては、例えば、アルカリ金属では、ＮａＣｌ、Ｎａ２Ｓ０４、ＫＣｌ，ＣＨ３ＣＯＯＮａ，等があげられ、アルカリ土類金属としてはＣａＣｌ２，ＭｇＣｌ２等が挙げられる。中でも、Ｎａ，Ｋ，Ｃａの塩類が好ましい。
　【００２２】
　次に、本発明を主に特徴づける本発明のインクに含有されるレッド、及び、ブルーの色素について説明する。
　【００２３】
　イエロー、マゼンタ、シアンで表現される減法混色法によれば、マゼンタ及びシアンの２つのインクのおのおのを制御することによりバイオレットからブルー系の色相もカバーすることができる。
　【００２４】
　しかしながら濃度の薄い領域で、彩度の高いバイオレットを表現しようとするときや、ライトブルー、マリンブルー等を表現したいときなどは、減法混色法では難しく、シアンよりも赤み、深みのある青色の色素を含有するインクが特に必須となる。
　【００２５】
　更に、この青色の色素として、本発明では、青色の色相をもつ分散染料が用いられるが、係る色素は、単に色相から選択できるものではなく、染色特性、吐出特性等の観点から、極めて限定されたものとなる。
　【００２６】
　本発明者らは、各種の分散染料を含有するインクを作成し、前述した布帛上で、該インクを混色させて染着させると、従来捺染に比べてインクジェットプリント方法は、使用する染料の組み合わせによって、染着後の濃度や、色調、更に、同じ染着条件で染着したときの繰り返しの再現性が非常に異なることを発見した。この現象はＨＴスチーミング法、及びサーモゾル法による染着処理を採用した場合、特に顕著であった。
　【００２７】
　従来においても、ポリエステルの「浸染」染色等で２種類の分散染料を一浴で染めようとした場合に、その２種類の染料の相性によって、まれに染色濃度が異なることがあることは知られており、これは、その２種類の染料が水中でどのような構造をとっているか（お互い独立しているのか、結合しているのか）に起因するといわれている（「解説　染料化学」色染社）。しかし、これは、「浸染」染色特有の問題であり、従来の捺染の場合では、この問題はほとんど議論されていなかった。
　【００２８】
　ところが、インクジェットプリントによる捺染においては、染料の組み合わせによる差が「浸染」染色以上に顕著となった。この理由は定かではないが、インクジェットプリントのように、インク小滴を布帛に順次着滴させる方法においては、付与される染料の絶対量が少ないこと、及びドット表現であること等により、染料の組み合わせによる差が従来よりも格段に明確に発現するためと考えられる。
　【００２９】
　本発明者らは、上記問題を鑑みて鋭意検討を行い、以下に記載する非常に限られた色素を使用することにより、色素の組み合わせによって、染着後の濃度や、色調が変化したりせず、染着後の色再現性も非常に安定し、更に、バイオレット系からブルー系にかけての色再現範囲が格段に広くなることを知見した。
　【００３０】
　以上のことから使用する色素は以下のものに限られる。
　【００３１】
　レッドインク中の色素としてはＣ．Ｉ．ディスパーズレッド５４、７２、７３、８６、８８、９１、９２、９３、１１１、１２６、１２７、１３４、１３５、１４３、１４５、１５２、１５３、１５４、１６４、１５９、１６７：１、１７７、１８１、２０４、２０６、２０７、２２１、２５８、２７８、２８３、２８８、３１１、３２３、３４３、３４８、３５６、Ｃ．Ｉ．ディスパーズバイオレット３３よりなる群の中から選ばれる少なくとも一種を含有させることが好ましく、なかでもＣ．Ｉ．ディスパーズレッド９２，１２６，１３５，１４５，１５２，１５９，１７７，１８１，２０６，２８３，３４８よりなる群の中から選ばれる少なくとも１種を含有させることがより好ましい。
　【００３２】
　ブルーインク中の色素としてはＣ．Ｉ．ディスパーズブルー５６、７３、１１３、１２８、１４８、１５４、１５８、１６５、１６５：１、１６５：２、１８３、１９７、２０１、２１４、２２４、２２５、２５７、２６６、２６７、２８７、３５８、３６８よりなる郡の中から選ばれる少なくとも一種を含有させることが好ましく、Ｃ．Ｉ．ディスパーズブルー５６、７３、１２８、１５４、１６５、２０１、２１４、２２４、２５７、２６６、２６７、２８７、３６８よりなる群の中から選ばれる少なくとも１種を含有させることがより好ましい。
　【００３３】
　これらの色素は、本発明のインクに少なくとも１種以上含有される。含有量は、インク全重量に対して合計で１〜２５重量％、好ましくは１．５〜２０重量％、より好ましくは２〜１５重量％の範囲である。
　【００３４】
　本発明のインクは、少なくとも、上述した色素、係る色素を分散する化合物、及び、水性液媒体を含む。
　【００３５】
　前記色素を分散する化合物としては、いわゆる分散剤、界面活性剤、樹脂等を用いることができる。
　【００３６】
　分散剤または界面活性剤としては、アニオン系、ノニオン系のいずれも使用できるが、例えば、アニオン系のものとしては脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩、及びこれらの置換誘導体等；ノニオン系のものとしてはポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックポリマー、及びこれらの置換誘導体等が挙げられる。
　【００３７】
　樹脂分散剤としてはスチレン及びその誘導体、ビニルナフタレン及びその誘導体、α，β−エチレン性不飽和カルボン酸の脂肪族アルコールエステル等、アクリル酸及びその誘導体、マレイン酸及びその誘導体、イタコン酸及びその誘導体、フマール酸及びその誘導体、酢酸ビニル、ビニルアルコール、ビニルピロリドン、アクリルアミド、及びその誘導体等から選ばれた少なくとも２つ以上の単量体（このうち少なくとも１つは親水性単量体）からなるブロック共重合体、ランダム共重合体及びグラフト共重合体、並びにこれらの塩等をあげることができる。これらの樹脂は、塩基を溶解させた水溶液に可溶なアルカリ可溶型樹脂であることが好ましい。
　【００３８】
　更に、本発明のインクは、水性液媒体を含有し、必須成分である水は、インク全重量に対して１０〜９３重量％、好ましくは２５〜８７重量％、より好ましくは３０〜８２重量％の範囲含有することが好ましい。
　【００３９】
　更に、水性液媒体として、水のほかに有機溶剤を併有することが好ましい。
　【００４０】
　有機溶剤については、例えば、アセトン、ジアセトンアルコールなどのケトン又はケトアルコール類；テトラヒドロフラン、ジオキサン等のエーテル類；ジエチレングリコール、トリエチレングリコール、テトラエチレングリコール、ジプロピレングリコール、トリプロピレングリコール、ポリエチレングリコール、ポリプロピレングリコール等のオキシエチレン又はオキシプロピレン付加重合体；エチレングリコール、プロピレングリコール、トリメチレングリコール、ブチレングリコール、１，２，６−ヘキサントリオール、ヘキシレングリコール等のアルキレン基が２乃至６個の炭素原子を含むアルキレングリコール類；チオジグリコール；グリセリン；エチレングリコールモノメチル（又はエチル）エーテル、ジエチレングリコールモノメチル（又はエチル）エーテル、トリエチレングリコールモノメチル（又はエチル）エーテル等の多価アルコールの低級アルキルエーテル類；トリエチレングリコールジメチル（又はエチル）エーテル、テトラエチレングリコールジメチル（又はエチル）エーテル等の多価アルコールの低級ジアルキルエーテル類；スルホラン、Ｎ−メチル−２−ピロリドン、１，３−ジメチル−２−イミダゾリジノン等が挙げられる。
　【００４１】
　上記の如き媒体を併用する場合は単独でも混合物としても使用できるが、もっとも好ましい液媒体組成は、該溶剤が少なくとも１種の多価アルコールを含有するものである。中でも、チオジグリコール、ジエチレングリコールの単独もしくはジエチレングリコール、チオジグリコール混合系は特に良好なものである。
　【００４２】
　上記水溶性有機溶剤の含有量は、一般にはインクの全重量に対して重量％で５〜６０％、好ましくは５〜５０％の範囲である。
　【００４３】
　本発明に使用するインクの主要成分は上記の通りであるが、その他公知の各種の粘度調整剤、表面張力調整剤、蛍光増白剤、消泡剤を必要に応じて添加することができる。例えば、ポリビニルアルコール、セルロース類、水溶性樹脂等の粘度調整剤；ジエタノールアミン、トリエタノールアミン等の表面張力調整剤；緩衝液によるｐＨ調整剤、防カビ剤等である。
　【００４４】
　また染料を分散させるため以外の目的のため、インクの成分として各種の界面活性剤等を必要に応じて添加することができる。
　【００４５】
　本発明におけるインクは、上記の色素、該色素を分散させる化合物、溶剤、水、その他添加物とともに、従来公知の分散方法、混合方法等をもちいて製造することができる。
　【００４６】
　本発明のインクジェットプリント方法は、上記布帛に上記インクの小滴をインクジェット法で着滴させて、少なくとも２色以上のインクによる混色部を形成するものである。
　【００４７】
　この場合、混色部の各色素の付着量の合計は、０．０１〜１ｍｇ／ｃｍ２、好ましくは０．０１５〜０．６ｍｇ／ｃｍ２より好ましくは０．０２〜０．４ｍｇ／ｃｍ２とするものである。この値は、インクの吐出量とインク中の色素濃度を実測することにより求めることができる。色素の付着量が０．０１ｍｇ／ｃｍ２未満では、高濃度の発色が難しいので本発明の効果が明確にならない。又、１ｍｇ／ｃｍ２を超える場合は、濃度、色再現範囲、染色安定性等の向上の顕著な効果が認められない。
　【００４８】
　係るインクジェットプリントに用いるインクジェット方式は、従来公知のいずれのインクジェット記録方式でもよいが、例えば、特開昭５４−５９９３６号公報に記載されている方法で、熱エネルギーの作用を受けたインクが急激な体積変化を生じ、この状態変化による作用力によって、インクをノズルから吐出させる方式、即ち、バブルジェット方式が最も有効である。
　【００４９】
　これは、上記方式は複数のノズルを有する記録ヘッドを用いる場合、各ノズル間のインクの吐出速度のばらつきが小さく、インクの吐出速度が５〜２０ｍ／ｓｅｃの範囲に集約されており、この速度で分散染料を含むインクが布帛に衝突した場合の着滴時の液滴の繊維に対する浸透の具合が最適となるためと思われる。
　【００５０】
　本発明は、係る方式で長時間連続的にプリントを行ってもそのヒーター上の異物の沈着や断線が発生せず、安定したプリントが可能となる。
　【００５１】
　更に係るインクジェット方法において、特に高い効果を得る条件としては、吐出液滴が２０〜２００ｐｌ、インク打込量が４〜４０ｎｌ／ｍｍ２、駆動周波数１．５ＫＨｚ以上、及びヘッド温度３５〜６０℃が好ましい。
　【００５２】
　又、以上の様にして、上記の様な布帛上に付与されたインクは、この状態では単に付着しているに過ぎないので、引続き繊維への色素の染着及び未染着の色素の除去工程を施す必要がある。この様な染着及び未染着の色素の除去方法は、従来公知の方法でよい。
　【００５３】
　なかでも、染着法に関しては、ＨＴスチーミング法またはサーモゾル法を用いることが好ましい。さらにＨＴスチーミング法の場合、１４０℃〜１８０℃で２分〜３０分間の処理条件の場合が好ましく、１６０℃〜１８０℃で６分〜８分間の処理条件の場合がより好ましい。サーモゾル法の場合は、１６０℃〜２１０℃で１０秒〜５分の処理条件の場合が好ましく、１８０℃〜２１０℃で２０秒〜２分の処理条件の場合がより好ましい。
　【００５４】
　なお、得られたプリント物は、必要に応じて、所望の大きさに切り離され、切り離された片は縫着、接着、溶着等、最終的な加工品を得るための工程が施され、ネクタイ、ハンカチ等の加工品を得ることができる。
　【００５５】
　本発明のインクを用いて捺染を行うのに好適な装置の一例としては、記録ヘッドの室内のインクに記録信号に対応した熱エネルギーを与え、該熱エネルギーにより液滴を発生させる装置が挙げられるが、以下これについて説明する。
　【００５６】
　その装置の主要部であるヘッド構成例を図１、図２及び図３に示す。
　【００５７】
　ヘッド１３はインクを通す溝１４を有するガラス、セラミック又はプラスチック板等と、感熱記録に用いられる発熱ヘッド１５（図ではヘッドが示されているが、これに限定されるものではない）とを接着して得られる。発熱ヘッド１５は酸化シリコン等で形成される保護膜１６、アルミニウム電極１７−１、１７−２、ニクロム等で形成される発熱抵抗体層１８、蓄熱層１９、アルミナ等の放熱性のよい基板２０よりなっている。
　【００５８】
　インク２１は吐出オリフィス（微細孔）２２まで来ており、圧力Ｐによりメニスカス２３を形成している。
　【００５９】
　今、電極１７−１、１７−２に電気信号が加わると、発熱ヘッド１５のｎで示される領域が急激に発熱し、ここに接しているインク２１に気泡が発生し、その圧力でメニスカス２３が突出し、インク２１が吐出し、オリフィス２２より記録小滴２４となり、本発明に使用する布帛２５に向かって飛翔する。図３には図１に示すヘッドを多数並べたマルチヘッドの外観図を示す。該マルチヘッドはマルチ溝２６を有するガラス板２７と、図１に説明したものと同様な発熱ヘッド２８を密着して製作されている。尚、図１は、インク流路に沿ったヘッド１３の断面図であり、図２は図１のＡ−Ｂ線での切断面である。
　【００６０】
　図４に、かかるヘッドを組み込んだインクジェット記録装置の一例を示す。
　【００６１】
　図４において、６１はワイピング部材としてのブレードであり、その一端はブレード保持部材によって保持されて固定端となり、カンチレバーの形態をなす。ブレード６１は記録ヘッドによる記録領域に隣接した位置に配設され、又、本例の場合、記録ヘッドの移動経路中に突出した形態で保持される。６２はキャップであり、ブレード６１に隣接するホームポジションに配設され、記録ヘッドの移動方向と垂直な方向に移動して吐出口面と当接し、キャッピングを行う構成を備える。更に６３はブレード６１に隣接して設けられる吸収体であり、ブレード６１と同様、記録ヘッドの移動経路中に突出した形態で保持される。上記ブレード６１、キャップ６２、吸収体６３によって吐出回復部６４が構成され、ブレード６１及び吸収体６３によってインク吐出口面に水分、塵埃等の除去が行われる。６５は吐出エネルギー発生手段を有し、吐出口を配した吐出口面に対向する布帛にインクを吐出して記録を行う記録ヘッド、６６は記録ヘッド６５を搭載して記録ヘッド６５の移動を行う為のキャリッジである。キャリッジ６６はガイド軸６７と慴動可能に係合し、キャリッジ６６の一部はモータ６８によって駆動されるベルト６９と接続（不図示）している。これによりキャリッジ６６はガイド軸６７に沿った移動が可能となり、記録ヘッド６５による記録領域及びその隣接した領域の移動が可能となる。
　【００６２】
　５１は布帛を挿入する為の給布部、５２は不図示のモータにより駆動される布送りローラである。これらの構成によって記録ヘッドの吐出口面と対向する位置へ布帛が給布され、記録が進行するにつれて排布ローラ５３を配した排布部へ排布される。
　【００６３】
　上記構成において記録ヘッド６５が記録終了等でホームポジションに戻る際、ヘッド回復部６４のキャップ６２は記録ヘッド６５の移動経路から退避しているが、ブレード６１は移動経路中に突出している。この結果、記録ヘッド６５の吐出口面がワイピングされる。尚、キャップ６２が記録ヘッド６５の吐出面に当接してキャッピングを行う場合、キャップ６２は記録ヘッドの移動経路中に突出する様に移動する。
　【００６４】
　記録ヘッド６５がホームポジションから記録開始位置へ移動する場合、キャップ６２及びブレード６１は上述したワイピング時の位置と同一の位置にある。この結果、この移動においても記録ヘッド６５の吐出口面はワイピングされる。
　【００６５】
　上述の記録ヘッドのホームポジションへの移動は、記録終了時や吐出回復時ばかりでなく、記録ヘッドが記録の為に記録領域を移動する間に所定の間隔で記録領域に隣接したホームポジションへ移動し、この移動に伴って上記ワイピングが行われる。図５は、ヘッドにインク供給部材、例えばチューブを介して供給されるインクを収容したインクカートリッジの一例を示す図である。ここで４０は供給用インクを収容したインク収容部、例えば、インク袋であり、その先端にはゴム製の栓４２が設けられている。この栓４２に針（不図示）を挿入することにより、インク袋４０中のインクをヘッドに供給可能ならしめる。４４は廃インクを受容する吸収体である。インク収容部としては、インクとの接液面がポリオレフィン、特にポリエチレンで形成されているものが本発明にとって好ましい。本発明で使用されるインクジェット記録装置としては、上記の如きヘッドとインクカートリッジとが別体となったものに限らず、図６に示す如きそれらが一体になったものにも好適に用いられる。
　【００６６】
　図６において、７０は記録ユニットであって、この中にはインクを収容したインク収容部、例えば、インク吸収体が収納されており、かかるインク吸収体中のインクが複数のオリフィスを有するヘッド部７１からインク滴として吐出される構成になっている。インク吸収体の材料としては、ポリウレタンを用いることが本発明にとって好ましい。７２は記録ユニット内部を大気に連通させる為の大気連通口である。この記録ユニット７０は、図４で示す記録ヘッドに代えて用いられるものであって、キャリッジ６６に対し着脱自在になっている。
　【００６７】
　係る本発明は、オフィスユースにも適応可能であるが、特に、オフィスユース以外のインダストリアルユースに好適である。
　【００６８】
　【実施例】
　次に実施例及び比較例を挙げて本発明を更に具体的に説明する。尚、文中部及び％とあるのは特に断りのない限り重量基準である。
　【００６９】
　実施例１
　分散染料液（Ｉ、ＩＩ）の作成
ポリオキシエチレンアルキルエーテル硫酸ナトリウム　　　　　　　　５部
イオン交換水　　　　　　　　　　　　　　　　　　　　　　　　　７５部
ジエチレングリコール　　　　　　　　　　　　　　　　　　　　　　５部
　上記成分を混合し、この溶液に新たに下記分散染料１５部をそれぞれ加え、３０分間プレミキシングを行った後、下記の条件で分散処理を行った。
分散染料　　　　Ｃ．Ｉ．ディスパーズ　レッド　１４５（染料分散液Ｉ用）
　　　　　　　　Ｃ．Ｉ．ディスパーズ　ブルー　３６８（染料分散液ＩＩ用）
分散機　　　　　　　　　　　　　サンドグラインダー（五十嵐機械製）
粉砕メディア　　　　　　　　　　　　　ジルコニウムビーズ１ｍｍ径
粉砕メディアの充填率　　　　　　　　　５０％（体積）
粉砕時間　　　　　　　　　　　　　　　　３時間
　さらに遠心分離処理（１２０００ＲＰＭ、２０分間）を行った後、フロロポアフィルターＦＰ−２５０（住友電工社製）にてろ過し粗大粒子を除去して分散染料液（Ｉ、ＩＩ）を得た。
　【００７０】
　インク（Ａ、Ｂ）の製造
・上記分散染料液（Ｉ、ＩＩ）　　　　　　　　　　　　　　　　　　４０部
・チオジグリコール　　　　　　　　　　　　　　　　　　　　　　　２４部
・ジエチレングリコール　　　　　　　　　　　　　　　　　　　　　１１部
・イオン交換水　　　　　　　　　　　　　　　　　　　　　　　　　２５部
　上記の全成分を混合し、混合液を酢酸でｐＨ５〜７に調整し、インク（Ａ、Ｂ）を得た。
　【００７１】
　ポリエステル１００％の織布を、予め処理液（尿素１０％、アルギン酸ソーダ２％、水８８％）に浸し、絞り率３０％で脱水後乾燥した。
　【００７２】
　この織布に上記の様にして得られたインク（Ａ、Ｂ）をカラーバブルジェットプリンターＢＪＣ８２０（商品名　キヤノン製）に搭載してプリントし、、２×４ｃｍの大きさで下記のような印字パッチ計２４種類を作成した。
・単色印字パッチ　インクＡを各インク打込み量２、４、６、８ｎｌ／ｍｍ２で印字したもの
インクＢを各インク打込み量２、４、６、８ｎｌ／ｍｍ２で印字したもの
・混色印字パッチ　インクＡ、Ｂを、上記の打込み量のすべての組み合わせで重ねて印字したもの（例えば、インクＡとインクＢを両方２ｎｌ／ｍｍ２印字したパッチ、やインクＡを４ｎｌ／ｍｍ２、インクＢを２ｎｌ／ｍｍ２印字したもの等）１６種類
　ついで１６０℃で６〜８分間の蒸熱処理による定着を行った。その後、これを中性洗剤で洗浄して、プリント物のバイオレットからブルー系の領域の再現範囲、発色安定性について評価した。その結果、表１に示したように上記領域の発色性が良好で、しかも混色部での発色安定性が良好であった。
　【００７３】
　実施例２
　分散染料液（ＩＩＩ、ＩＶ）の作成
リグニンスルホン酸ナトリウム　　　　　　　　　　　　　　　　　　２部
イオン交換水　　　　　　　　　　　　　　　　　　　　　　　　　７３部
ジエチレングリコール　　　　　　　　　　　　　　　　　　　　　１５部
　上記成分を混合し、この溶液に新たに下記分散染料１０部をそれぞれ加え、３０分間プレミキシングを行った後、下記の条件で分散処理を行った。
分散染料　　　Ｃ．Ｉ．ディスパーズ　レッド　１５９（染料分散液ＩＩＩ用）
　　　　　　　Ｃ．Ｉ．ディスパーズ　ブルー　２６７（染料分散液ＩＶ用）
分散機　　　　　　　　　　　　　サンドグラインダー（五十嵐機械製）
粉砕メディア　　　　　　　　　　　　　ガラスビーズ０．５ｍｍ径
粉砕メディアの充填率　　　　　　　　　７０％（体積）
粉砕時間　　　　　　　　　　　　　　　　３時間
　さらに遠心分離処理（１２０００ＲＰＭ、２０分間）を行った後、フロロポアフィルターＦＰ−２５０（住友電工社製）にてろ過し粗大粒子を除去して分散染料液（ＩＩＩ、ＩＶ）を得た。
　【００７４】
　インク（Ｃ，Ｄ）の製造
・上記分散染料液（ＩＩＩ、ＩＶ）　　　　　　　　　　　　　　　　３０部
・チオジグリコール　　　　　　　　　　　　　　　　　　　　　　　２５部
・テトラエチレングリコールジメチルエーテル　　　　　　　　　　　　５部
・イオン交換水　　　　　　　　　　　　　　　　　　　　　　　　　５０部
　上記の全成分を混合し、混合液を酢酸でｐＨ５〜７に調整し、インク（Ｃ，Ｄ）を得た。
　【００７５】
　実施例１に使用した織布に上記の様にして得られたインク（Ｃ，Ｄ）を実施例１と同様の方法で同様のパターンをプリントした。ついで２００℃で４０〜５０秒間のサーモゾル処理による定着を行なった。その後、これを中性洗剤で洗浄して、プリント物のバイオレットからブルー系の領域の再現範囲、発色安定性について評価した。その結果、表１に示したように上記領域の発色が良好で、しかも混色部での発色安定性が良好であった。
　【００７６】
　実施例３
　分散染料液（Ｖ，ＶＩ）の作成
βナフタレンスルホン酸ホルムアルデヒド縮合物　　　　　　　　　２０部
イオン交換水　　　　　　　　　　　　　　　　　　　　　　　　　５０部
ジエチレングリコール　　　　　　　　　　　　　　　　　　　　　１０部
　上記成分を混合し、この溶液に新たに下記分散染料２０部をそれぞれ加え、３０分間プレミキシングを行った後、下記の条件で分散処理を行った。
分散染料　　　Ｃ．Ｉ．ディスパーズ　レッド９２（染料分散液Ｖ用）
　　　　　　　Ｃ．Ｉ．ディスパーズ　ブルー　２８７（染料分散液ＶＩ用）
分散機　　　　　　　　　　　　　　　パールミル（アシザワ製）
粉砕メディア　　　　　　　　　　　　　ガラスビーズ１ｍｍ径
粉砕メディアの充填率　　　　　　　　　５０％（体積）
吐出速度　　　　　　　　　　　　　　　１００ｍｌ／ｍｉｎ
　さらに遠心分離処理（１２０００ＲＰＭ、２０分間）を行った後、フロロポアフィルターＦＰ−２５０（住友電工社製）にてろ過し粗大粒子を除去して分散染料液（Ｖ，ＶＩ）を得た。
　【００７７】
　インク（Ｅ，Ｆ）の製造
・上記分散染料液（Ｖ，ＶＩ）　　　　　　　　　　　　　　　　　　５０部
・チオジグリコール　　　　　　　　　　　　　　　　　　　　　　　２３部
・ジエチレングリコール　　　　　　　　　　　　　　　　　　　　　　５部
・イソプロピルアルコール　　　　　　　　　　　　　　　　　　　　　３部
・イオン交換水　　　　　　　　　　　　　　　　　　　　　　　　　１９部
　上記の全成分を混合し、混合液を酢酸でｐＨ５〜７に調整し、インク（Ｅ，Ｆ）を得た。
　【００７８】
　ポリエステル７０％、綿３０％の混紡した織布をあらかじめ処理液（尿素１０％、カルボキシメチルセルロース２％、水８８％）に浸したあと、絞り率３０％で脱水後乾燥した。この織布に上記の様にして得られたインク（Ｅ，Ｆ）を実施例１と同様の方法で同様のパターンをプリントした。ついで１６０℃で６分〜８分間蒸熱処理を行なった。その後、これを中性洗剤で洗浄して、プリント物のバイオレットからブルー系の領域の再現範囲、発色安定性について評価した。その結果、表１に示したように上記領域の発色が良好で、しかも混色部での発色安定性が良好であった。
　【００７９】
　比較例１
　分散染料液（ＶＩＩ、ＶＩＩＩ）の作成
ポリオキシエチレンアルキルエーテル硫酸ナトリウム　　　　　　　５部
イオン交換水　　　　　　　　　　　　　　　　　　　　　　　　　７部
ジエチレングリコール　　　　　　　　　　　　　　　　　　　　　５部
　上記成分を混合し、この溶液に新たに下記分散染料１５部をそれぞれ加え、３０分間プレミキシングを行った後、下記の条件で分散処理を行った。
分散染料　　Ｃ．Ｉ．ディスパーズ　レッド　　４３（染料分散液ＶＩＩ用）
　　　　　　Ｃ．Ｉ．ディスパーズ　ブルー８１：１（染料分散液ＶＩＩＩ用）
分散機　　　　　　　　　　　　　サンドグラインダー（五十嵐機械製）
粉砕メディア　　　　　　　　　　　　　ジルコニウムビーズ１ｍｍ径
粉砕メディアの充填率　　　　　　　　　５０％（体積）
粉砕時間　　　　　　　　　　　　　　　　３時間
　さらに遠心分離処理（１２０００ＲＰＭ、２０分間）を行った後、フロロポアフィルターＦＰ−２５０（住友電工社製）にてろ過し粗大粒子を除去して分散染料液（ＶＩＩ、ＶＩＩＩ）を得た。
　【００８０】
　インク（Ｇ，Ｈ）の製造
・上記分散染料液（ＶＩＩ、ＶＩＩＩ）　　　　　　　　　　　　　４０部
・チオジグリコール　　　　　　　　　　　　　　　　　　　　　　２４部
・ジエチレングリコール　　　　　　　　　　　　　　　　　　　　１１部
・イオン交換水　　　　　　　　　　　　　　　　　　　　　　　　２５部
　上記の全成分を混合し、混合液を酢酸でｐＨ５〜７に調整し、インク（Ｇ，Ｈ）を得た。
　【００８１】
　実施例１に使用した織布に上記の様にして得られたインク（Ｇ，Ｈ）を実施例１と同様の方法で同様のパターンをプリントした。ついで１６０℃で６〜８分間の蒸熱処理による定着を行った。その後、これを中性洗剤で洗浄して、プリント物のバイオレットからブルー系の領域の再現範囲、発色安定性について評価した。その結果、表１に示したように上記領域の発色は余り良くなく、混色部での発色安定性が悪かった。
　【００８２】
　比較例２
　分散染料液（ＩＸ）の作成
ポリオキシエチレンアルキルエーテル硫酸ナトリウム　　　　　　　　５部
イオン交換水　　　　　　　　　　　　　　　　　　　　　　　　　７５部
ジエチレングリコール　　　　　　　　　　　　　　　　　　　　　　５部
　上記成分を混合し、この溶液に新たに下記分散染料１５部をそれぞれ加え、３０分間プレミキシングを行った後、下記の条件で分散処理を行った。
分散染料　　　　Ｃ．Ｉ．ディスパーズレッド１８８（染料分散液ＩＸ用）
分散機　　　　　サンドグラインダー（五十嵐機械製）
粉砕メディア　　　　　　　　　　ジルコニウムビーズ１ｍｍ径
粉砕メディアの充填率　　　　　　　　　５０％（体積）
粉砕時間　　　　　　　　　　　　　　　　３時間
　さらに遠心分離処理（１２０００ＲＰＭ、２０分間）を行った後、フロロポアフィルターＦＰ−２５０（住友電工社製）にてろ過し粗大粒子を除去して分散染料液（ＩＸ）を得た。
　【００８３】
　インク（Ｉ）の製造
・上記分散染料液（ＩＸ）　　　　　　　　　　　　　　　　　　　４０部
・チオジグリコール　　　　　　　　　　　　　　　　　　　　　　２４部
・ジエチレングリコール　　　　　　　　　　　　　　　　　　　　１１部
・イオン交換水　　　　　　　　　　　　　　　　　　　　　　　　２５部
　上記の全成分を混合し、混合液を酢酸でｐＨ５〜７に調整し、インク（Ｉ）を得た。
　【００８４】
　実施例１に使用した織布に上記の様にして得られたインク（Ｉ）及び実施例１で使用したインク（Ｂ）を実施例１と同様の方法で同様のパターンを印字した。ついで１６０℃で６〜８分間の蒸熱処理による定着を行った。その後、これを中性洗剤で洗浄して、プリント物のバイオレットからブルー系の領域の再現範囲、発色安定性について評価した。その結果、表１に示したように上記領域の発色は余り良くなく、混色部での発色安定性も悪かった。
　【００８５】
　比較例３
　分散染料液（Ｘ）の作成
βナフタレンスルホン酸ホルムアルデヒド縮合物　　　　　　　　　２０部
イオン交換水　　　　　　　　　　　　　　　　　　　　　　　　　５０部
ジエチレングリコール　　　　　　　　　　　　　　　　　　　　　１０部
　上記成分を混合し、この溶液に新たに下記分散染料２０部をそれぞれ加え、３０分間プレミキシングを行った後、下記の条件で分散処理を行った。
分散染料　　Ｃ．Ｉ．ディスパーズ　ブルー７（シアン色）（染料分散液Ｘ用）
分散機　　　　　　　　　　　　　　　パールミル（アシザワ製）
粉砕メディア　　　　　　　　　　　　　ガラスビーズ１ｍｍ径
粉砕メディアの充填率　　　　　　　　　５０％（体積）
吐出速度　　　　　　　　　　　　　　　１００ｍｌ／ｍｉｎ
　さらに遠心分離処理（１２０００ＲＰＭ、２０分間）を行った後、フロロポアフィルターＦＰ−２５０（住友電工社製）にてろ過し粗大粒子を除去して分散染料液（Ｘ）を得た。
　【００８６】
　インク（Ｊ）の製造
・上記分散染料液（Ｘ）　　　　　　　　　　　　　　　　　　　　５０部
・チオジグリコール　　　　　　　　　　　　　　　　　　　　　　２３部
・ジエチレングリコール　　　　　　　　　　　　　　　　　　　　　５部
・イソプロピルアルコール　　　　　　　　　　　　　　　　　　　　３部
・イオン交換水　　　　　　　　　　　　　　　　　　　　　　　　１９部
　上記の全成分を混合し、混合液を酢酸でｐＨ５〜７に調整し、インク（Ｊ）を得た。
　【００８７】
　実施例３に使用した織布に上記の様にして得られたインク（Ｊ）及び実施例３で使用したインク（Ｅ）を実施例１と同様の方法で同様のパターンをプリントした。ついで１６０℃で６〜８分間の蒸熱処理による定着を行った。その後、これを中性洗剤で洗浄して、プリント物のバイオレットからブルー系の領域の再現範囲、発色安定性について評価した。その結果、表１に示したように上記領域の発色は余り良くなく、混色部での発色安定性も悪かった。
　【００８８】
　【表１】
　【００８９】
　【発明の効果】
　以上説明したように本発明によれば、バイオレットからブルーの領域の色再現性が良く、しかも生産安定性にすぐれたプリント物を得ることができる。
【図面の簡単な説明】
　【図１】
　インクジェットプリント装置のヘッド部の縦断面図
　【図２】
　インクジェットプリント装置のヘッド部の横断面図
　【図３】
　図１に示したヘッドをマルチ化したヘッドの外観斜視図
　【図４】
　インクジェットプリント装置の一例を示す斜視図
　【図５】
　インクカートリッジの縦断面図
　【図６】
　記録ユニットの斜視図